(57)【要約】【課題】インストルメントパネルの変形を抑制することができる車載機器の取付構造を提供することを目的とする。【解決手段】実施形態の一態様に係る車載機器をインストルメントパネルの内側の車体へ取り付ける車載機器の取付構造にあっては、支持部を備える。支持部は、車載機器に取り付けられるとともに、インストルメントパネルの開口部の周縁部の少なくとも一部を裏側から支持する。【選択図】図１
2019217849.tif 000002
【特許請求の範囲】
【請求項１】
車載機器をインストルメントパネルの内側の車体へ取り付ける車載機器の取付構造であって、
前記車載機器に取り付けられるとともに、前記インストルメントパネルの開口部の周縁部の少なくとも一部を裏側から支持する支持部
を備えることを特徴とする車載機器の取付構造。
【請求項２】
前記インストルメントパネルの前記開口部を覆うように配置されるカバーパネルと、
前記カバーパネルが前記インストルメントパネルの前記開口部の前記周縁部の少なくとも一部に表側から当接するように、前記カバーパネルを押圧する押圧部と
をさらに備えることを特徴とする請求項１に記載の車載機器の取付構造。
【請求項３】
前記支持部は、
前記押圧部と一体に形成されること
を特徴とする請求項２に記載の車載機器の取付構造。
【請求項４】
前記カバーパネルは、
前記インストルメントパネルに係止される係止部
を備えることを特徴とする請求項２または３に記載の車載機器の取付構造。
【請求項５】
前記車載機器に取り付けられるとともに、前記車載機器を前記車体へ取り付ける機器側ブラケット
をさらに備え、
前記支持部および前記押圧部は、
前記機器側ブラケットと一体となるように接続されること
を特徴とする請求項２〜４のいずれか一つに記載の車載機器の取付構造。
【請求項６】
前記機器側ブラケットは、
前記カバーパネルが取り付けられる際に、前記カバーパネルの前記機器側ブラケットに対する位置決めを行う位置決め部
を備えることを特徴とする請求項５に記載の車載機器の取付構造。
【請求項７】
前記インストルメントパネルの前記開口部は、
前記車載機器の大きさに応じて拡大されて形成されること
を特徴とする請求項１〜６のいずれか一つに記載の車載機器の取付構造。
【発明の詳細な説明】
【技術分野】
【０００１】
本発明は、車載機器の取付構造に関する。
【背景技術】
【０００２】
従来、例えばディスプレイ装置などの車載機器を、車両のインストルメントパネルの内側の車体部分に取り付ける、車載機器の取付構造が提案されている（例えば特許文献１参照）。上記した従来技術においては、車載機器をインストルメントパネルの開口部から挿入して車体に取り付けるようにしている。
【先行技術文献】
【特許文献】
【０００３】
【特許文献１】特開２００４−２７６８１２号公報
【発明の概要】
【発明が解決しようとする課題】
【０００４】
しかしながら、従来技術においては、例えば、インストルメントパネルの開口部の周縁部が経年劣化によって垂れ下がるなどの変形が生じることがある。インストルメントパネルの開口部が変形すると、例えば、開口部の周縁部と開口部を覆うカバーパネルとの間に隙間が発生し、車載機器の商品性や意匠性が低下するおそれがあった。
【０００５】
本発明は、上記に鑑みてなされたものであって、インストルメントパネルの変形を抑制することができる車載機器の取付構造を提供することを目的とする。
【課題を解決するための手段】
【０００６】
上記課題を解決し、目的を達成するために、本発明は、車載機器をインストルメントパネルの内側の車体へ取り付ける車載機器の取付構造であって、支持部を備える。支持部は、前記車載機器に取り付けられるとともに、前記インストルメントパネルの開口部の周縁部の少なくとも一部を裏側から支持する。
【発明の効果】
【０００７】
本発明によれば、インストルメントパネルの変形を抑制することができる。
【図面の簡単な説明】
【０００８】
【図１】図１は、実施形態に係る車載機器の取付構造の概要を示す図である。
【図２】図２は、ディスプレイ装置やインストルメントパネルなどを示す斜視図である。
【図３】図３は、ディスプレイ装置の取付構造の分解斜視図である。
【図４】図４は、支持ブラケットの拡大斜視図である。
【図５】図５は、第１機器側ブラケットの拡大斜視図である。
【図６】図６は、第２機器側ブラケットの拡大斜視図である。
【図７】図７は、カバーパネルの正面図である。
【図８】図８は、図３のVIII−VIII線端面図である。
【図９】図９は、外装パネルの背面図である。
【図１０】図１０は、ディスプレイ装置の取り付け手順を説明する図である。
【図１１】図１１は、ディスプレイ装置の取り付け手順を説明する図である。
【図１２】図１２は、ディスプレイ装置の取り付け手順を説明する図である。
【図１３】図１３は、ディスプレイ装置の取り付け手順を説明する図である。
【図１４】図１４は、ディスプレイ装置の取り付け手順を説明する図である。
【図１５】図１５は、ディスプレイ装置の取り付け手順を説明する図である。
【図１６】図１６は、ディスプレイ装置の取り付け手順を説明する図である。
【図１７】図１７は、ディスプレイ装置の取り付け手順を説明する図である。
【図１８Ａ】図１８Ａは、ディスプレイ装置の取り付け手順を説明する図である。
【図１８Ｂ】図１８Ｂは、ディスプレイ装置の取り付け手順を説明する図である。
【図１９】図１９は、ディスプレイ装置の取り付け手順を説明する図である。
【図２０】図２０は、ディスプレイ装置の取り付け手順を説明する図である。
【図２１】図２１は、ディスプレイ装置の取り付け手順を説明する図である。
【発明を実施するための形態】
【０００９】
以下、添付図面を参照して、本願の開示する車載機器の取付構造の実施形態を詳細に説明する。なお、以下に示す実施形態によりこの発明が限定されるものではない。
【００１０】
＜１．車載機器の取付構造の概要＞
まず、図１を用いて、実施形態に係る車載機器の取付構造の概要について説明する。図１は、実施形態に係る車載機器の取付構造の概要を示す図である。なお、図１の上段の図は、車両１の車室２内から車両前方を見たときの図である。また、図１および図２以降に示す図は、いずれも模式図である。
【００１１】
なお、図１の上段図においては、説明の便宜のために、鉛直上向きを正方向、鉛直下向きを負方向とするＺ軸、車幅方向をＸ軸、車長方向をＹ軸とした３次元の直交座標系を図示している。かかる直交座標系は、後述の説明に用いる他の図面でも示す場合がある。
【００１２】
また、以下の説明では、「Ｘ軸方向」「Ｙ軸方向」「Ｚ軸方向」などの表現を用いる場合があるが、これは車載機器が図示された状態で車両１に取り付けられたときの「Ｘ軸方向」「Ｙ軸方向」「Ｚ軸方向」を意味するものであって、方向を限定するものではない。また、車室２内から車両１前方を見たときを基準として、Ｘ軸正方向を「右方」、Ｘ軸負方向を「左方」、Ｙ軸正方向を「前方」、Ｙ軸負方向を「後方」と記載する場合もある。
【００１３】
図１の上段に示すように、本実施形態に係る車載機器は、例えばディスプレイ装置１０であり、車両１に搭載される。なお、以下では、車載機器としてディスプレイ装置１０を例にとって説明するが、これに限定されるものではなく、例えばオーディオ装置、メータ等の計器、スピーカ装置など、その他の車載機器であってもよい。
【００１４】
ディスプレイ装置１０は、表示部１１を備える。表示部１１は、液晶パネルなどの画面１１ａを備え、かかる画面１１ａには、例えばルート案内や車両１の運転状態など、運転者に対して種々の情報が表示される。
【００１５】
ディスプレイ装置１０は、表示部１１の画面１１ａが車室２側に露出するように、車室２の前方のインストルメントパネル３（以下、「インパネ３」と記載する場合がある）に位置されつつ、インパネ３の内側の車体に取り付けられて固定される。なお、ディスプレイ装置１０は、例えばインパネ３において運転席と助手席との間の位置に配置されるが、ディスプレイ装置１０の位置は、これに限られず、車両１の種類などに応じて適宜変更可能である。
【００１６】
ところで、上記したディスプレイ装置１０は、例えば、インパネ３に形成される開口部４（図１の上図で見えず）から挿入されて取り付けられている。また、ディスプレイ装置１０が挿通された開口部４には、開口部４を覆うようにカバーパネル７０が配置される。
【００１７】
上記したインパネ３にあっては、例えば、開口部４の周縁部５（図１の上図で見えず）が経年劣化によって垂れ下がるなどの変形が生じることがある。このようにインパネ３の開口部４が変形すると、例えば、開口部４の周縁部５とカバーパネル７０との間に隙間が発生し、ディスプレイ装置１０の商品性や意匠性が低下するおそれがあった。
【００１８】
そこで、本実施形態に係るディスプレイ装置１０の取付構造では、インパネ３の変形を抑制することができるようにした。図１の下段の図は、ディスプレイ装置１０の取付構造１００を示す図であり、ディスプレイ装置１０が挿入されたインパネ３の上方側の開口部４付近を拡大して示す縦端面図である。なお、図１の下段図においては、図示の簡略化のため、ディスプレイ装置１０を二点鎖線で示した。
【００１９】
図１の下段図に示すように、ディスプレイ装置１０の取付構造１００は、支持ブラケット２０と、カバーパネル７０とを備える。カバーパネル７０は、上記したように、開口部４を覆うように配置される。なお、カバーパネル７０の詳細な構成については、図７，８等を用いて後述する。
【００２０】
支持ブラケット２０は、インパネ３を支持する部材であり、基部２１と、支持部２２と、押圧部２３とを備える。基部２１は、例えば、平板状に形成され、インパネ３の開口部４付近に位置される。
【００２１】
支持部２２は、基部２１のＹ軸正方向側の端部から前方で、かつ斜め上方へ向けて延在するように形成される。また、支持部２２は、インパネ３の開口部４の周縁部５に当接するように位置され、開口部４の周縁部５を裏側から支持する。
【００２２】
このように、本実施形態にあっては、経年に伴って垂れ下がり易いインパネ３の開口部４の周縁部５を、支持ブラケット２０の支持部２２によって裏側から支持することから、インパネ３の変形（例えば下方へ垂れ下がる変形）を抑制することができる。
【００２３】
また、インパネ３の変形を抑制することで、例えば、開口部４の周縁部５とカバーパネル７０と間（符号Ａで示す部分）に隙間が発生しにくくなり、よって隙間が発生することによるディスプレイ装置１０の商品性や意匠性の低下を抑制することができる。
【００２４】
また、支持部２２には、緩衝部材２６が設けられてもよい。緩衝部材２６は、例えば、支持部２２を被覆するとともに、インパネ３との間に介挿されるように設けられる。緩衝部材２６としては、例えば、発泡樹脂やゴムなどから製作される部材を用いることができるが、これらに限定されるものではない。
【００２５】
このように、支持部２２とインパネ３との間に緩衝部材２６が介挿されることで、支持部２２とインパネ３とが直接接触しないようにすることができる。これにより、例えば、車両１の振動が伝達されて支持部２２やインパネ３が振動する場合であっても、支持部２２とインパネ３とが直接衝突することによる異音の発生を抑制することができる。
【００２６】
押圧部２３は、基部２１のＹ軸負方向側の端部に形成される部位である。押圧部２３は、カバーパネル７０に当接してカバーパネル７０を押圧する、詳しくは、カバーパネル７０を下方へ押圧する。
【００２７】
また、押圧部２３には、中間部材２７が設けられてもよい。中間部材２７は、例えば、押圧部２３を被覆するとともに、カバーパネル７０との間に介挿されるように設けられる。中間部材２７としては、例えば、不織布や発泡樹脂などから製作される部材を用いることができるが、これらに限定されるものではない。
【００２８】
本実施形態にあっては、押圧部２３や中間部材２７を備えることで、インパネ３の開口部４の周縁部５とカバーパネル７０と間Ａに隙間がより発生しにくくなるが、これについては図１８Ｂを用いて後述する。また、支持ブラケット２０の詳細についても、図４を参照して後述する。
【００２９】
＜２．ディスプレイ装置の取付構造の詳細な構成＞
次に、実施形態に係るディスプレイ装置１０の取付構造１００などの詳細な構成について、図２以降を参照して説明する。図２は、車体に取り付けられた状態のディスプレイ装置１０やインパネ３などを示す斜視図である。また、図３は、ディスプレイ装置１０の取付構造１００の分解斜視図である。
【００３０】
図２および図３に示すように、ディスプレイ装置１０の取付構造１００（図２で一部見えず）は、支持ブラケット２０と、第１機器側ブラケット３０と、第２機器側ブラケット４０と、第１車体側ブラケット５０と、第２車体側ブラケット６０と、カバーパネル７０と、外装パネル８０とを備える。
【００３１】
支持ブラケット２０等の説明に入る前に、ディスプレイ装置１０およびインパネ３について説明しておく。図３に示すように、ディスプレイ装置１０は、上記した表示部１１と、本体部１２とを備える。表示部１１の画面１１ａは、比較的大型の画面とされるが、これに限定されるものではない。
【００３２】
本体部１２は、例えば略直方体状の筐体であり、内部にディスプレイ装置１０の全体制御を行うＣＰＵ（Central  Processing  Unit。図示せず）などの各種部品が収納される。本体部１２の右側（Ｘ軸正方向）の側面１３には、第１機器側ブラケット３０を取り付けるネジが挿通されるネジ孔１３ａが形成される。また、本体部１２の左側（Ｘ軸負方向）の側面１４にも、第２機器側ブラケット４０を取り付けるネジが挿通されるネジ孔が形成されるが、図３では見えない。
【００３３】
インパネ３は、開口部４を備える。かかる開口部４は、ディスプレイ装置１０が挿通される部位であり、例えば、平面視において略四角形状とされる。以下、開口部４の周縁部５のうち、開口部４に対して上方の周縁部５を「上側周縁部５ａ」、下方の周縁部５を「下側周縁部５ｂ」、左方の周縁部５を「左側周縁部５ｃ」、右方の周縁部５を「右側周縁部５ｄ」と記載する場合がある。
【００３４】
なお、インパネ３の開口部４は、予めディスプレイ装置１０に対応する形状に形成されるが、これに限定されるものではない。すなわち、例えば、ディスプレイ装置１０が大型化された場合、大型化されたディスプレイ装置１０に対応させるため、開口部４は、ディスプレイ装置１０の大きさに応じて拡大されて形成されてもよい。
【００３５】
また、例えば、上記した開口部４が拡大されて形成されることで、開口部４の上側周縁部５ａ付近にカバーパネル７０などを取り付ける部位が形成できない場合があるが、かかる場合であっても、本実施形態に係る取付構造１００を用いることで、カバーパネル７０などを取り付けることが可能となる。なお、上記したディスプレイ装置１０の大型化に伴ってインパネ３の開口部４が拡大される点については、後に詳説する。
【００３６】
インパネ３の開口部４において左側周縁部５ｃ側には、後述するカバーパネル７０の係止クリップ７２ｃ（図２０参照）が挿通されるカバーパネル用挿通孔６が形成される。また、インパネ３の開口部４において下側周縁部５ｂ側には、後述する外装パネル８０の突起部８０ｂや係止クリップ８０ｃ（図９参照）が挿通される外装パネル用挿通孔７が複数形成される。なお、図３に示すカバーパネル用挿通孔６および外装パネル用挿通孔７の数や位置は、あくまでも例示であって限定されるものではない。また、インパネ３は、例えば樹脂製とされるが、これに限られない。
【００３７】
＜２．１．支持ブラケット＞
次に、支持ブラケット２０について説明する。図４は、支持ブラケット２０の拡大斜視図である。図４に示すように、支持ブラケット２０は、上記した基部２１、支持部２２、押圧部２３、および、脚部２４を備える。
【００３８】
基部２１は、例えば、長尺状に形成され、長手方向が左右方向（Ｘ軸方向）に沿うように形成される。基部２１において、後方（Ｙ軸負方向）の端部には、押圧部２３が複数（例えば２個）形成され、押圧部２３はそれぞれ中間部材２７によって被覆される（図１の下段図参照）。なお、押圧部２３は、後述するカバーパネル７０の係合部７５（図８参照）に係合してカバーパネル７０を下方へ押圧することができる。
【００３９】
また、例えば、基部２１の押圧部２３と隣接する位置であって、Ｙ軸負方向の前方へ突出される位置には、カバーパネル７０を取り付けるネジが挿通されるネジ孔２１ａが形成される。
【００４０】
支持部２２は、基部２１に複数（例えば４個）形成され、インパネ３の開口部４の周縁部５（詳しくは上側周縁部５ａ）を裏側から支持することができる。例えば、支持部２２は、基部２１の前方（Ｙ軸正方向）の端部から連続するように形成されるとともに、前方かつ斜め上方へ向けて延在する平板状に形成される。
【００４１】
また、支持部２２は、例えば、左右方向の幅が先端に進むにつれて小さくなるように形成される。このように、支持部２２の先端の幅が基端の幅より小さく形成されることで、例えば、後述するように支持部２２をインパネ３の裏側に差し込む際、差し込み易くすることができる（図１６参照）。
【００４２】
上記したように、支持ブラケット２０には、支持部２２および押圧部２３がともに形成される、すなわち、支持部２２は押圧部２３と一体に形成される。これにより、インパネ３の支持とカバーパネル７０の押圧を一つの部材で行うことが可能となり、よって例えば支持部２２と押圧部２３とが別体に形成される場合に比べて部品点数を減らすことができ、取付構造１００の構成を簡素化することができる。
【００４３】
脚部２４は、基部２１の左右の端部からそれぞれ連続するように形成されるとともに、下方へ向けて延在するように形成される。左右の脚部２４はそれぞれ、基部２１と連続する部位とは反対側の部位（下端の部位）において互いに離間する方向へ屈曲して延在し、かかる延在部分には、支持ブラケット２０をディスプレイ装置１０に取り付けるネジが挿通される挿通孔２４ａが形成される。
【００４４】
＜２．２．第１機器側ブラケット＞
次に、図３に戻って第１機器側ブラケット３０について説明する。第１機器側ブラケット３０は、ディスプレイ装置１０の本体部１２の右側の側面１３に取り付けられる部材である。そして、ディスプレイ装置１０に取り付けられた第１機器側ブラケット３０は、ディスプレイ装置１０を第１車体側ブラケット５０を介して車体へ取り付ける。図５は、第１機器側ブラケット３０の拡大斜視図である。
【００４５】
図５に示すように、第１機器側ブラケット３０は、基部３１と、延在部３２と、側壁部３３と、上面部３４と備える。基部３１は、例えば、平板状に形成される。基部３１は、第１機器側ブラケット３０がディスプレイ装置１０の本体部１２の右側の側面１３（図３参照）に取り付けられる際、側面１３に面する部位である。基部３１には、第１機器側ブラケット３０をディスプレイ装置１０に取り付けるネジが挿通される挿通孔３１ａが形成される。
【００４６】
延在部３２は、基部３１の後方（Ｙ軸負方向）の端部から連続するように形成されるとともに、右方（Ｘ軸正方向）へ向けて延在するように形成される。
【００４７】
側壁部３３は、延在部３２の右方（Ｘ軸正方向）の端部から連続するように形成されるとともに、後方（Ｙ軸負方向）へ向けて延在するように形成される。側壁部３３は、ネジ孔３３ａと、位置決め部３３ｂとを備える。ネジ孔３３ａは、側壁部３３において後方（Ｙ軸負方向）の端部に形成され、カバーパネル７０を取り付けるネジが挿通される。
【００４８】
位置決め部３３ｂは、第１機器側ブラケット３０にカバーパネル７０が取り付けられる際に、カバーパネル７０の第１機器側ブラケット３０に対する位置決めを行う部位である。例えば、位置決め部３３ｂは、側壁部３３において後方（Ｙ軸負方向）の端部に形成される突起であり、複数個（例えば２個）形成される。突起である位置決め部３３ｂは、カバーパネル７０に形成される挿通孔７３ｃ（後述する図１９参照）に挿通されることで、カバーパネル７０の第１機器側ブラケット３０に対する位置決めを行う。
【００４９】
上面部３４は、基部３１の上方（Ｚ軸正方向）の端部から連続するように形成されるとともに、右方（Ｘ軸正方向）へ向けて延在する平板状の部位である。上面部３４は、挿通孔３４ａと、規制孔３４ｂとを備える。
【００５０】
挿通孔３４ａには、支持ブラケット２０をディスプレイ装置１０に取り付けるネジが挿通される。規制孔３４ｂは、第１車体側ブラケット５０に形成される規制用突起部５２ｂ（図３参照）が挿通可能な孔であり、規制用突起部５２ｂが挿通されることで、第１機器側ブラケット３０の第１車体側ブラケット５０に対する移動を規制することができる。
【００５１】
＜２．３．第２機器側ブラケット＞
次に、第２機器側ブラケット４０について説明する。図３に示すように、第２機器側ブラケット４０は、ディスプレイ装置１０の本体部１２の左側の側面１４に取り付けられる部材である。そして、ディスプレイ装置１０に取り付けられた第２機器側ブラケット４０は、ディスプレイ装置１０を第２車体側ブラケット６０を介して車体へ取り付けるための部材である。図６は、第２機器側ブラケット４０の拡大斜視図である。
【００５２】
図６に示すように、第２機器側ブラケット４０は、基部４１と、延在部４２と、側壁部４３と、上面部４４と備える。基部４１は、例えば、平板状に形成される。基部４１は、第２機器側ブラケット４０がディスプレイ装置１０の本体部１２の右側の側面１４（図３参照）に取り付けられる際、側面１４に面する部位である。また、基部４１には、第２機器側ブラケット４０をディスプレイ装置１０に取り付けるネジが挿通される挿通孔４１ａが形成される。
【００５３】
延在部４２は、基部４１の後方（Ｙ軸負方向）の端部から連続するように形成されるとともに、左方（Ｘ軸負方向）へ向けて延在するように形成される。
【００５４】
側壁部４３は、延在部４２の左方（Ｘ軸負方向）の端部から連続するように形成されるとともに、後方（Ｙ軸負方向）へ向けて延在するように形成される。側壁部４３は、ネジ孔４３ａを備える。ネジ孔４３ａは、側壁部４３において後方（Ｙ軸負方向）の端部に形成され、カバーパネル７０を取り付けるネジが挿通される。
【００５５】
上面部４４は、基部４１の中央付近に形成された開口部４１ｂの上方（Ｚ軸正方向）の縁部から左方（Ｘ軸負方向）へ向けて延在する平板状の部位である。上面部４４は、挿通孔４４ａと、規制孔４４ｂとを備える。
【００５６】
挿通孔４４ａには、支持ブラケット２０をディスプレイ装置１０に取り付けるネジが挿通される。規制孔４４ｂは、第２車体側ブラケット６０に形成される規制用突起部６２ｂ（図３参照）が挿通可能な孔であり、規制用突起部６２ｂが挿通されることで、第２機器側ブラケット４０の第２車体側ブラケット６０に対する移動を規制することができる。
【００５７】
＜２．４．第１車体側ブラケット＞
次に、図３に戻って第１車体側ブラケット５０について説明する。第１車体側ブラケット５０は、車体２００（後述する図１１参照）に取り付けられる部材である。例えば、第１車体側ブラケット５０は、取付面部５１と、上面部５２と、側壁部５３とを備える。
【００５８】
取付面部５１は、例えば平板状に形成され、第１車体側ブラケット５０が車体２００（図１１参照）に取り付けられる際、車体２００に面する部位である。取付面部５１には、第１車体側ブラケット５０を車体２００（図１１参照）に取り付けるネジが挿通される挿通孔５１ａが形成される。なお、取付面部５１は、第１車体側ブラケット５０における前方（Ｙ軸正方向）側および後方（Ｙ軸負方向）側の２箇所に設けられるが、これに限定されるものではなく、例えば前方側および後方側のいずれか一方、または、３箇所以上に設けられてもよい。
【００５９】
上面部５２は、第１車体側ブラケット５０において上方（Ｚ軸正方向）に位置される、平板状の部位である。また、側壁部５３は、前方側に設けられた取付面部５１の左方（Ｘ軸負方向）の端部から連続するように形成されるとともに、後方（Ｙ軸負方向）へ向けて延在するように形成される。そして、上記した上面部５２は、側壁部５３の上方（Ｚ軸正方向）の端部から連続するように形成されるとともに、右方（Ｘ軸正方向）へ向けて延在するように形成される。かかる上面部５２は、ネジ孔５２ａと、上記した規制用突起部５２ｂとを備える。
【００６０】
ネジ孔５２ａには、支持ブラケット２０をディスプレイ装置１０に取り付けるネジが挿通される。規制用突起部５２ｂは、上面部５２から上方（Ｚ軸正方向）へ向けて突出する部位であり、上記した第１機器側ブラケット３０の規制孔３４ｂ（図５参照）に対して挿通可能に形成される。
【００６１】
＜２．５．第２車体側ブラケット＞
次に、第２車体側ブラケット６０について説明する。第２車体側ブラケット６０は、車体２００（後述する図１２参照）に取り付けられる部材である。例えば、第２車体側ブラケット６０は、取付面部６１と、上面部６２と、側壁部６３とを備える。
【００６２】
取付面部６１は、例えば平板状に形成され、第２車体側ブラケット６０が車体２００（図１２参照）に取り付けられる際、車体２００に面する部位である。取付面部６１には、第２車体側ブラケット６０を車体２００（図１１参照）に取り付けるネジが挿通される挿通孔６１ａが形成される。なお、取付面部６１は、第２車体側ブラケット６０における前方（Ｙ軸正方向）側および後方（Ｙ軸負方向）側の２箇所に設けられるが、これに限定されるものではなく、例えば前方側および後方側のいずれか一方、または、３箇所以上に設けられてもよい。
【００６３】
上面部６２は、第２車体側ブラケット６０において上方（Ｚ軸正方向）に位置される、平板状の部位である。また、側壁部６３は、前方側に設けられた取付面部６１の右方（Ｘ軸正方向）の端部から連続するように形成されるとともに、後方（Ｙ軸負方向）へ向けて延在するように形成される。そして、上記した上面部６２は、側壁部６３の上方（Ｚ軸正方向）の端部から連続するように形成されるとともに、左方（Ｘ軸負方向）へ向けて延在するように形成される。かかる上面部６２は、ネジ孔６２ａと、上記した規制用突起部６２ｂとを備える。
【００６４】
ネジ孔６２ａには、支持ブラケット２０をディスプレイ装置１０に取り付けるネジが挿通される。規制用突起部６２ｂは、上面部６２から上方（Ｚ軸正方向）へ向けて突出する部位であり、上記した第２機器側ブラケット４０の規制孔４４ｂ（図６参照）に対して挿通可能に形成される。
【００６５】
＜２．６．カバーパネル＞
次に、カバーパネル７０について説明する。カバーパネル７０は、上側カバー部７１と、左側カバー部７２と、右側カバー部７３とを備える。上側カバー部７１は、インパネ３の開口部４の上側周縁部５ａに対応する位置に配置される。例えば、上側カバー部７１は、開口部４の上側周縁部５ａ付近を覆うような位置に配置される。
【００６６】
左側カバー部７２は、上側カバー部７１の左側（Ｘ軸負方向）の端部から下方（Ｚ軸負方向）に向けて延在するように形成される。かかる左側カバー部７２は、インパネ３の開口部４の左側周縁部５ｃに対応する位置に配置される。
【００６７】
右側カバー部７３は、上側カバー部７１の右側（Ｘ軸正方向）の端部から下方（Ｚ軸負方向）に向けて延在するように形成される。かかる右側カバー部７３は、インパネ３の開口部４の右側周縁部５ｄに対応する位置に配置される。
【００６８】
図７は、カバーパネル７０の正面図である。図７に示すように、カバーパネル７０の上側カバー部７１は、挿通孔７１ａと、外装パネル用挿通孔７１ｂとを備える。挿通孔７１ａは、上記した支持ブラケット２０のネジ孔２１ａ（図４参照）と対応する位置に設けられ、カバーパネル７０を支持ブラケット２０へ取り付けるネジが挿通される。また、外装パネル用挿通孔７１ｂには、後述する外装パネル８０の突起部８０ｂ（図９参照）が挿通される。
【００６９】
図８は、図３のVIII−VIII線端面図であり、詳しくは、カバーパネル７０の上側カバー部７１の縦端面図である。図８に示すように、カバーパネル７０の上側カバー部７１は、係合部７５と、緩衝部材７６とを備える。
【００７０】
係合部７５は、カバーパネル７０の裏面７１ｃに形成される。例えば、係合部７５は、Ｙ軸負方向の前方へ向けて凹むように形成される凹部７５ａを備える。かかる凹部７５ａは、上記した支持ブラケット２０の押圧部２３（図１，４参照）が挿入されて係合可能となるように形成される。また、係合部７５の凹部７５ａは、押圧部２３が挿入された状態のときに押圧部２３と当接し、当接された押圧部２３から下方へ向けて押圧されるような形状とされる。
【００７１】
緩衝部材７６は、例えば、上側カバー部７１の前方（Ｙ軸正方向）の端部７１ｄに設けられる。なお、上側カバー部７１の端部７１ｄは、後述するように、インパネ３に当接することから、緩衝部材７６は、上側カバー部７１の端部７１ｄとインパネ３との間に介挿されるように設けられるといえる。なお、緩衝部材７６としては、例えば、発泡樹脂やゴムなどから製作される部材を用いることができるが、これらに限定されるものではない。
【００７２】
図７の説明に戻ると、左側カバー部７２は、挿通孔７２ａと、外装パネル用挿通孔７２ｂと、係止クリップ７２ｃとを備える。挿通孔７２ａは、上記した第２機器側ブラケット４０のネジ孔４３ａ（図６参照）と対応する位置に設けられ、カバーパネル７０を第２機器側ブラケット４０へ取り付けるネジが挿通される。また、外装パネル用挿通孔７２ｂには、後述する外装パネル８０の突起部８０ｂ（図９参照）が挿通される。
【００７３】
係止クリップ７２ｃは、左側カバー部７２の背面側に形成され（後述する図２０参照）、インパネ３に係止される部材である。例えば、係止クリップ７２ｃは、インパネ３の開口部４の左側周縁部５ｃに設けられたカバーパネル用挿通孔６と対応する位置に形成される。なお、図７では、理解の便宜のため、左側カバー部７２の背面側において係止クリップ７２ｃが形成される位置を破線で示した。なお、係止クリップ７２ｃは、係止部の一例である。
【００７４】
右側カバー部７３は、挿通孔７３ａと、外装パネル用挿通孔７３ｂと、挿通孔７３ｃとを備える。挿通孔７３ａは、上記した第１機器側ブラケット３０のネジ孔３３ａ（図５参照）と対応する位置に設けられ、カバーパネル７０を第１機器側ブラケット３０へ取り付けるネジが挿通される。また、外装パネル用挿通孔７３ｂには、後述する外装パネル８０の突起部８０ｂ（図９参照）が挿通される。
【００７５】
挿通孔７３ｃは、上記した第１機器側ブラケット３０の位置決め部３３ｂと対応する位置に設けられ、突起である位置決め部３３ｂが挿通される。
【００７６】
＜２．７．外装パネル＞
次に、外装パネル８０について説明する。図２および図３に示すように、外装パネル８０は、外観をなす意匠パネルである。外装パネル８０は、例えば枠体であり、表示部１１の画面１１ａを露出させる開口部８１や、エアコンの吹出口を露出させる開口部８２などが形成される。
【００７７】
図９は、外装パネル８０の背面図である。図９に示すように、外装パネル８０の背面８０ａ側には、上記した突起部８０ｂおよび係止クリップ８０ｃが形成される。例えば、突起部８０ｂは、背面８０ａから前方（Ｙ軸正方向）へ向けて突出する部位である。かかる突起部８０ｂは、外装パネル８０の上下左右の端部にそれぞれに形成される。また、係止クリップ８０ｃは、例えば、外装パネル８０の下方の端部に形成される。
【００７８】
なお、上記で説明した支持ブラケット２０、第１、第２機器側ブラケット３０，４０、第１、第２車体側ブラケット５０，６０、カバーパネル７０、および、外装パネル８０の形状は、あくまでも例示であって限定されるものではない。
【００７９】
＜３．ディスプレイ装置の取付手順＞
次に、ディスプレイ装置１０を取り付ける手順（組み立て手順）について、図１０以降を参照しつつ説明する。図１０〜２１は、ディスプレイ装置１０を取り付ける手順を説明するための図である。
【００８０】
なお、図１０〜２１においては、ディスプレイ装置１０を取り付ける手順の説明に必要な構成要素のみを図示している。また、以下に説明するディスプレイ装置１０の取り付けは、例えば図示しない作業者や作業ロボットによって実行される。
【００８１】
まず、図１０に示すように、第１、第２機器側ブラケット３０，４０がディスプレイ装置１０に取り付けられる。例えば、第１機器側ブラケット３０は、ネジＢ１が挿通孔３１ａ、ディスプレイ装置１０の側面１３のネジ孔１３ａに挿通されることで、ディスプレイ装置１０に取り付けられる。また、例えば、第２機器側ブラケット４０は、ネジＢ２が挿通孔４１ａ、ディスプレイ装置１０の側面１４の図示しない挿通孔に挿通されることで、ディスプレイ装置１０に取り付けられる。
【００８２】
次いで、図１１に示すように、第１車体側ブラケット５０が車体２００に取り付けられる。例えば、第１車体側ブラケット５０は、ネジＢ３が挿通孔５１ａ、車体２００に形成されるネジ孔２００ａに挿通されることで、車体２００に取り付けられる。なお、ネジ孔２００ａは、インパネ３の内側であって、開口部４の右側周縁部５ｄ側付近に形成される。
【００８３】
次いで、図１２に示すように、第２車体側ブラケット６０が車体２００に取り付けられる。例えば、第２車体側ブラケット６０は、ネジＢ４が挿通孔５１ａ、車体２００に形成されるネジ孔２００ｂに挿通されることで、車体２００に取り付けられる。なお、ネジ孔２００ｂは、インパネ３の内側であって、開口部４の左側周縁部５ｃ側付近に形成される。
【００８４】
なお、上記では、第１、第２機器側ブラケット３０，４０、第１車体側ブラケット５０、第２車体側ブラケット６０の順で取り付けについて説明したが、取り付け順はこれに限られず、適宜に変更することができる。
【００８５】
次いで、図１３に示すように、第１、第２機器側ブラケット３０，４０（第２機器側ブラケット４０は図１３で見えず）が取り付けられたディスプレイ装置１０が、インパネ３の開口部４から挿通される（矢印Ｄ１参照）。そして、ディスプレイ装置１０は、第１機器側ブラケット３０が第１車体側ブラケット５０（図１３で見えず）によって位置決めされるとともに、第２機器側ブラケット４０が第２車体側ブラケット６０によって位置決めされつつ、インパネ３の内部に配置される。かかる第１、第２機器側ブラケット３０，４０の位置決めについて図１４および図１５を参照して説明する。なお、図１４および図１５では、位置決めの説明に必要な構成要素のみを示している。
【００８６】
図１４は、第１機器側ブラケット３０の第１車体側ブラケット５０による位置決めを説明する図である。図１４に示すように、第１機器側ブラケット３０は、規制孔３４ｂに第１車体側ブラケット５０の規制用突起部５２ｂが挿通されて係止されることで、前方（Ｙ軸正方向）への移動が規制されて位置決めされる。なお、第１機器側ブラケット３０の挿通孔３４ａは、位置決めされた状態のとき、第１車体側ブラケット５０のネジ孔５２ａと対応するように位置される。
【００８７】
図１５は、第２機器側ブラケット４０の第２車体側ブラケット６０による位置決めを説明する図である。図１５に示すように、第２機器側ブラケット４０は、規制孔４４ｂに第２車体側ブラケット６０の規制用突起部６２ｂが挿通されて係止されることで、前方（Ｙ軸正方向）への移動が規制されて位置決めされる。なお、第２機器側ブラケット４０の挿通孔４４ａは、位置決めされた状態のとき、第２車体側ブラケット６０のネジ孔６２ａと対応するように位置される。
【００８８】
次いで、図１６に示すように、支持ブラケット２０が取り付けられる。具体的には、まず、支持ブラケット２０の支持部２２がインパネ３の裏側に差し込まれる。詳しくは、支持ブラケット２０は、支持部２２がインパネ３の開口部４の上側周縁部５ａの裏側に位置するように配置される。
【００８９】
続いて、支持ブラケット２０は、支持部２２がインパネ３の裏側、正確には開口部４の上側周縁部５ａの裏側に引っ掛けられた状態で、矢印Ｄ２で示すように、基部２１のＹ軸負方向側の端部が下方に下げられる。これにより、支持ブラケット２０の支持部２２は、開口部４の上側周縁部５ａを裏側から当接して支持することができ、よってインパネ３の変形を抑制することができることは既に述べた通りである。
【００９０】
なお、図示は省略するが、端部が下方に下げられた支持ブラケット２０は、右方の挿通孔２４ａが第１機器側ブラケット３０の挿通孔３４ａおよび第１車体側ブラケット５０のネジ孔５２ａ（図１４参照）に、左方の挿通孔２４ａ（図１６で見えず）が第２機器側ブラケット４０の挿通孔４４ａおよび第２車体側ブラケット６０のネジ孔６２ａ（図１５参照）と対応するように位置される。
【００９１】
そして、図示しないネジが左方の挿通孔２４ａ、第１機器側ブラケット３０の挿通孔３４ａ、第１車体側ブラケット５０のネジ孔５２ａに挿通される。また、図示しないネジが右方の挿通孔２４ａ、第２機器側ブラケット４０の挿通孔４４ａ、第２車体側ブラケット６０のネジ孔６２ａに挿通される。これにより、支持ブラケット２０は、第１、第２機器側ブラケット３０，４０を介してディスプレイ装置１０に取り付けられるとともに、第１、第２車体側ブラケット５０，６０を介して車体２００に取り付けられることとなる。
【００９２】
このように、支持部２２および押圧部２３を備える支持ブラケット２０が、第１機器側ブラケット３０や第２機器側ブラケット４０と一体となるように接続されることで、支持部２２および押圧部２３を車体２００に確実に取り付けることが可能となる。
【００９３】
次いで、図１７に示すように、カバーパネル７０が取り付けられる。ここで、カバーパネル７０の取り付けについて、図１８Ａ，１８Ｂを参照しつつ説明する。図１８Ａ，１８Ｂは、インパネ３の開口部４の上側周縁部５ａ付近の拡大縦端面図であり、図１８Ａは、カバーパネル７０が取り付けられる前の状態を示し、図１８Ｂは、カバーパネル７０が取り付けられた後の状態を示している。
【００９４】
図１８Ａに示すように、例えば、カバーパネル７０は、上側カバー部７１の前方の端部７１ｄを先頭にして、矢印Ｄ３で示すように、インパネ３の開口部４へ向けて移動される。
【００９５】
そして、図１８Ｂに示すように、カバーパネル７０は、係合部７５の凹部７５ａに支持ブラケット２０の押圧部２３が挿入されて係合する位置まで移動される。このとき、カバーパネル７０は、上側カバー部７１の前方の端部７１ｄがインパネ３の開口部４の上側周縁部５ａ付近に位置される。
【００９６】
そして、押圧部２３は、係合部７５の凹部７５ａに挿入されて係合されると、矢印Ｆ１で示すように、カバーパネル７０を下方へ押圧する。
【００９７】
なお、押圧部２３は、上記したように中間部材２７によって被覆されることから、中間部材２７は、押圧部２３とカバーパネル７０の係合部７５との間に位置されることとなる。これにより、例えば仮に、押圧部２３やカバーパネル７０の係合部７５が所期する位置から上下方向にずれた場合であっても、かかる位置ずれを中間部材２７の厚さ分で吸収でき、よって押圧部２３は、カバーパネル７０の係合部７５と確実に当接してカバーパネル７０を下方へ押圧することができる。
【００９８】
上記したように、押圧部２３がカバーパネル７０を下方へ押圧することで、カバーパネル７０にあっては、上側カバー部７１の前方の端部７１ｄにも、矢印Ｆ２で示すように、下方への力が作用して、端部７１ｄが開口部４の上側周縁部５ａに確実に当接することとなる。
【００９９】
このように、支持ブラケット２０の押圧部２３は、カバーパネル７０がインパネ３の開口部４の周縁部（ここでは上側周縁部５ａ）に表側から当接するように、カバーパネル７０を下方へ押圧する。
【０１００】
これにより、インパネ３の開口部４の周縁部５（ここでは上側周縁部５ａ）とカバーパネル７０と間Ａに隙間がより発生しにくくなり、よって隙間が発生することによるディスプレイ装置１０の商品性や意匠性の低下を抑制することができる。
【０１０１】
また、カバーパネル７０にあっては、上側カバー部７１の前方の端部７１ｄに緩衝部材７６が設けられることで、異音の発生を抑制することができる。すなわち、上側カバー部７１の前方の端部７１ｄに緩衝部材７６が設けられるため、カバーパネル７０とインパネ３とが直接接触しにくくすることができる。これにより、例えば、車両１の振動が伝達されてカバーパネル７０やインパネ３が振動する場合であっても、カバーパネル７０とインパネ３とが直接衝突することによる異音の発生を抑制することができる。
【０１０２】
図１７の説明に戻ると、カバーパネル７０は、第１機器側ブラケット３０の位置決め部３３ｂによって位置決めされつつ、支持ブラケット２０、第１、第２機器側ブラケット３０，４０およびインパネ３に取り付けられる。
【０１０３】
図１９は、第１機器側ブラケット３０の位置決め部３３ｂ付近を拡大して示す図である。図１９に示すように、カバーパネル７０は、挿通孔７３ｃに、突起である位置決め部３３ｂが挿通されることで、カバーパネル７０の第１機器側ブラケット３０に対する左右方向の位置決めが行われる。
【０１０４】
このように、第１機器側ブラケット３０が、突起である位置決め部３３ｂを備えることで、簡易な構成でありながら、カバーパネル７０の第１機器側ブラケット３０に対する左右方向の位置決めを行うことができる。
【０１０５】
そして、図１７に示すように、カバーパネル７０は、ネジＢ５が挿通孔７１ａ、支持ブラケット２０のネジ孔２１ａに挿通されることで、支持ブラケット２０に取り付けられる。また、カバーパネル７０は、ネジＢ６が挿通孔７３ａ、第１機器側ブラケット３０のネジ孔３３ａに挿通されることで、第１機器側ブラケット３０に取り付けられる。また、カバーパネル７０は、ネジＢ７が挿通孔７２ａ、第２機器側ブラケット４０のネジ孔４３ａに挿通されることで、第２機器側ブラケット４０に取り付けられる。
【０１０６】
また、カバーパネル７０は、左側カバー部７２の背面側に形成される係止クリップ７２ｃ（図１７で見えず）によってインパネ３に取り付けらえる。図２０は、カバーパネル７０のインパネ３への取り付けを説明するための拡大斜視図である。
【０１０７】
図２０に示すように、カバーパネル７０は、左側カバー部７２の背面側にある係止クリップ７２ｃがインパネ３のカバーパネル用挿通孔６に挿通されて係止されることで、インパネ３に取り付けられる。このように、カバーパネル７０は、インパネ３に係止される係止クリップ７２ｃ（係止部の一例）を備えることから、車両側であるインパネ３に対して位置決めすることが可能となる。
【０１０８】
次いで、図２１に示すように、外装パネル８０が取り付けられる。例えば、外装パネル８０は、矢印Ｄ４で示すように、ディスプレイ装置１０やカバーパネル７０が取り付けられたインパネ３へ向けて移動された後、カバーパネル７０やインパネ３に対して位置決めされつつ取り付けられる。
【０１０９】
例えば、外装パネル８０は、上方および左右の端部に形成された突起部８０ｂ（図９参照）がカバーパネル７０の外装パネル用挿通孔７１ｂ，７２ｂ，７３ｂに挿通されることで、カバーパネル７０に対する位置決めが行われる。
【０１１０】
また、外装パネル８０は、下方の端部に形成された突起部８０ｂおよび係止クリップ８０ｃ（図９参照）がインパネ３の下側周縁部５ｂ付近の外装パネル用挿通孔７に挿通されることで、インパネ３に対して位置決めされつつ取り付けられる。これにより、ディスプレイ装置１０の取り付け（組み立て）が完了する（図２参照）。
【０１１１】
上述してきたように、実施形態に係るディスプレイ装置１０（車載機器の一例）の取付構造１００にあっては、支持部２２を備える。支持部２２は、ディスプレイ装置１０に取り付けられるとともに、インパネ３の開口部４の周縁部５の少なくとも一部を裏側から支持する。これにより、インパネ３の変形を抑制することができる。
【０１１２】
また、本実施形態にあっては、上記したように、インパネ３の開口部４が拡大されて形成されてもよく、これにより、例えばディスプレイ装置１０の大型化に対応することが可能となる。具体的に説明すると、例えば、ディーラや車両整備場において、車両１に搭載されている既存のディスプレイ装置１０を取り外し、画面１１ａが既存より大きなディスプレイ装置１０に付け替える場合がある。かかる場合、本実施形態にあっては、例えば、既存のディスプレイ装置１０が取り付けられていたインパネ３の開口部４をカッターなどで切断して広げ、広げた開口部４に対して新たなディスプレイ装置１０を取り付けるとともに、上記したカバーパネル７０を覆うように配置することができる。
【０１１３】
上記した大型のディスプレイ装置１０に付け替える手順について詳説すると、まず、既存のディスプレイ装置１０を取り外す。次いで、インパネ３の開口部４に図示しない治具をセットし、新たなディスプレイ装置１０に対応する開口寸法に合わせて切断線をけがく。次いで、けがき線（切断線）に沿ってカッターなどでインパネ３を切断して、開口部４を拡大する。そして、拡大された開口部４に対し、図１０〜２１を用いて説明したディスプレイ装置１０を取り付ける手順に沿って、新たなディスプレイ装置１０を取り付ける。
【０１１４】
このように、本実施形態に係るディスプレイ装置１０の取付構造１００にあっては、大型のディスプレイ装置１０に付け替える場合にも対応することが可能となる。
【０１１５】
なお、上記した実施形態にあっては、支持ブラケット２０の支持部２２が、インパネ３の開口部４の周縁部５のうち、上側周縁部５ａを裏側から支持するようにしたが、これに限定されるものではない。すなわち、支持部２２は、開口部４の上側周縁部５ａに加えて、あるいは代えて、他の周縁部５（例えば下側周縁部５ｂ）を支持してもよく、また、周縁部５の全周に亘って支持してもよい。このように、支持部２２は、インパネ３の開口部４の周縁部５の少なくとも一部を裏側から支持するように構成されればよい。
【０１１６】
また、上記では、支持ブラケット２０の押圧部２３は、カバーパネル７０がインパネ３の開口部４の周縁部５のうちの上側周縁部５ａに表側から当接するように押圧したが、これに限定されるものではない。すなわち、押圧部２３は、カバーパネル７０が、開口部４の上側周縁部５ａに加えて、あるいは代えて、他の周縁部５（例えば左側周縁部５ｃや右側周縁部５ｄ）に表側から当接するように押圧してもよい。このように、押圧部２３は、カバーパネル７０がインパネ３の開口部４の周縁部５の少なくとも一部に表側から当接するように、カバーパネル７０を押圧するように構成されればよい。
【０１１７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１８】
１  車両
３  インストルメントパネル
４  開口部
５  周縁部
１０  ディスプレイ装置
２２  支持部
２０  支持ブラケット
２３  押圧部
３０  第１機器側ブラケット
３３ｂ  位置決め部
４０  第２機器側ブラケット
５０  第１車体側ブラケット
６０  第２車体側ブラケット
７０  カバーパネル
７２ｃ  係止クリップ
２００  車体
【図１】
2019217849.tif 000003
【図２】
2019217849.tif 000004
【図３】
2019217849.tif 000005
【図４】
2019217849.tif 000006
【図５】
2019217849.tif 000007
【図６】
2019217849.tif 000008
【図７】
2019217849.tif 000009
【図８】
2019217849.tif 000010
【図９】
2019217849.tif 000011
【図１０】
2019217849.tif 000012
【図１１】
2019217849.tif 000013
【図１２】
2019217849.tif 000014
【図１３】
2019217849.tif 000015
【図１４】
2019217849.tif 000016
【図１５】
2019217849.tif 000017
【図１６】
2019217849.tif 000018
【図１７】
2019217849.tif 000019
【図１８Ａ】
2019217849.tif 000020
【図１８Ｂ】
2019217849.tif 000021
【図１９】
2019217849.tif 000022
【図２０】
2019217849.tif 000023
【図２１】
2019217849.tif 000024